(57)【特許請求の範囲】
【請求項１】
遠赤外線やマイナスイオンを発生する天然鉱石や天然放射性希有元素を含有する鉱物を原料としたセラミックスの石板と、該石板の下面に木質繊維板をアルミニウム板で上下に挟んだ蓄熱伝導材と、該蓄熱伝導材の下に水平蛇行して配線された線状ヒーターと、該線状ヒーターを嵌合収納させる蛇行溝を形成した石材断熱材と、該石材断熱材の下に外気からの断熱を図る高発泡ポリプロプレン断熱材とを設けてなることを特徴とする岩盤浴用人工石盤。
【請求項２】
サウナ浴室内の寝床、壁、天井に配置したことを特徴とする請求項１記載の岩盤浴用人工石盤。
【請求項３】
畳み１枚の縦横幅で形成した木質製角筒状の外壁材と、該外壁材の開口上面を閉蓋し、遠赤外線やマイナスイオンを発生する天然鉱石や天然放射性希有元素を含有する鉱物を原料としたセラミックスの石板と、前記石板の下面に上から順に、木質繊維板をアルミニウム板で上下に挟んだ蓄熱伝導材と、該蓄熱伝導材の下に水平蛇行して配線された線状ヒーターと、該線状ヒーターを嵌合収納させる蛇行溝を形成した石材断熱材と、該石材断熱材の下に外気からの断熱を図る高発泡ポリプロプレン断熱材と、該高発泡ポリプロプレン断熱材の下に上部積層物の重量に耐える下部受材とからなることを特徴とする岩盤浴ベッド。
【請求項４】
前記岩盤浴ベッドの表面には、長手方向の適宜個所にサーミスタ及びサーモスタットを埋設し、前記線状ヒーターによる前記石板の温度を直接制御するように電気回路を構成することを特徴とする請求項３記載の岩盤浴ベッド。
【発明の詳細な説明】
【技術分野】
【０００１】
本発明は、遠赤外線やマイナスイオン等を発生する岩盤浴用人工石盤及び温められた天然鉱石の上に寝ることによって、大自然のエネルギーを身体に取り込むことができる岩盤浴ベッドに関する。
【背景技術】
【０００２】
近年、岩盤浴（温められた天然鉱石の上に寝る低温サウナ）は使用する鉱石の性質により様々な効果を発揮することで注目を浴びている。
この岩盤浴は、第１に身体を暖め、血管をほぐし、血液循環をスムーズにすることで、新陳代謝を活発にし、体内の疲労物質や老廃物を体外に排出する働きをし、第２に遠赤外線の熱エネルギーは浸透力が強く生体内部まで到達し加温するため、身体を芯から暖めることで、より効果的に血管や身体の緊張を和らげ、発汗作用に効率よく働き、第３にマイナスイオンは空気のビタミンといわれ、酸化した身体や細胞、血液のイオンバランスを正常な状態へと整える働きをし、第４にラジウムなどから発する微量放射線のもつ自然治癒の働き、第５にゲルマニウム（金属と非金属の中間に位置する半導体）は３２℃以上になると電気を通す導体となり、導体となったゲルマニウムは電気を帯びた物質と結合する性質があり、相手がプラスの電気の場合はマイナスの働きをし、相手がマイナスの場合はプラスの働きをするので、マイナスイオン化した酸素を体内に大量に送り込む性質により、生体電流をコントロールし、発汗作用を促す働きをする。
【０００３】
岩盤浴用床盤として、表面が不透水性の樹脂成形体からなる基板と、該基板上の横臥位置と略一致する部分の複数個所に貴陽石の粉末を成型・焼成してなる複数のセラミックプレートが前記基板と表面が略面一となるように貫通配置され、前記基板の下面側でシート状の導電発熱体が前記セラミックプレートの下面に密着又は接近して配置され、遠赤外線を照射するものが公知となっている（特許文献１を参照）。
岩盤浴用ユニットとして、０．００５ミリシーベルト〜２２マイクロシーベルトの放射線を発生するラジウム鉱石を効能成分として備える人工石板と、該人工石板の下に面状発熱体をアルミニウム板で挟んで形成した板状ヒータとを直方体状のケース体の上部に設けるものが公知となっている（特許文献２を参照）。
岩盤浴用装置として、下層から順に、第１木質パネルと、硬質断熱材と、アルミニウム板と、ガラス繊維マットと、第２木質パネルと、該第２木質パネルの上面に敷設されたヒータと、前記第２木質パネル及びヒータの上に塗布されたウレタン樹脂と、該ウレタン樹脂の上に散布された多数のゴム片と、前記ウレタン樹脂及びゴム片の上に粉状の黒鉛珪石、ラジウム鉱石及びセメントを混合したものに水を添加して硬化させた遠赤外線放射混合体とを積層させたものが公知となっている（特許文献３を参照）。
【特許文献１】実用新案登録第３１１６０１７号公報
【特許文献２】実用新案登録第３１１６７８３号公報
【特許文献３】特開２００５−８７３４９号公報
【発明の開示】
【発明が解決しようとする課題】
【０００４】
本発明は、遠赤外線やマイナスイオン等を発生する岩盤浴用人工石盤及び入浴者が寝る天然鉱石の温度制御を正確に行うことにより、均一に温められた天然鉱石の上に寝ることによって、大自然のエネルギーを身体に取り込むことができる可搬式の岩盤浴ベッドを提供することを目的とする。
【課題を解決するための手段】
【０００５】
本発明の岩盤浴用人工石盤は、遠赤外線やマイナスイオンを発生する天然鉱石や天然放射性希有元素を含有する鉱物を原料としたセラミックスの石板と、該石板の下面に木質繊維板をアルミニウム板で上下に挟んだ蓄熱伝導材と、該蓄熱伝導材の下に水平蛇行して配線された線状ヒーターと、該線状ヒーターを嵌合収納させる蛇行溝を形成した石材断熱材と、該石材断熱材の下に外気からの断熱を図る高発泡ポリプロプレン断熱材とを設けてなるものである。
前記岩盤浴用人工石盤をサウナ浴室内の寝床、壁、天井に配置したものである。
本発明の岩盤浴ベッドは、畳み１枚の縦横幅で形成した木質製角筒状の外壁材と、該外壁材の開口上面を閉蓋し、遠赤外線やマイナスイオンを発生する天然鉱石や天然放射性希有元素を含有する鉱物を原料としたセラミックスの石板と、前記石板の下面に上から順に、木質繊維板をアルミニウム板で上下に挟んだ蓄熱伝導材と、該蓄熱伝導材の下に水平蛇行して配線された線状ヒーターと、該線状ヒーターを嵌合収納させる蛇行溝を形成した石材断熱材と、該石材断熱材の下に外気からの断熱を図る高発泡ポリプロプレン断熱材と、該高発泡ポリプロプレン断熱材の下に上部積層物の重量に耐える下部受材とからなるものである。
また、岩盤浴ベッドの表面には、長手方向の適宜個所にサーミスタ及びサーモスタットを埋設し、前記線状ヒーターによる前記石板の温度を直接制御するように電気回路を構成するものである。
【発明の効果】
【０００６】
本発明の岩盤浴用人工石盤は、低温サウナや高温サウナの寝床、壁、天井個所及び一部分に自由に組み合わせて配置し、遠赤外線熱エネルギーやマイナスイオン、微弱放射線それぞれの作用を低温又は高温で効果的に促すことができる。
本発明の岩盤浴ベッドは、ベッド表面に埋設したサーミスタで入浴者が寝る天然鉱石の温度制御を正確に行うことにより、入浴者が均一に温められた天然鉱石の上に寝ることによって、大自然のエネルギーを身体に取り込むことができる。
本発明の岩盤浴ベッドは、第１に身体を暖め、血管をほぐし、血液循環をスムーズにすることで、新陳代謝を活発にし、体内の疲労物質や老廃物を体外に排出する働きをし、第２に遠赤外線の熱エネルギーは浸透力が強く生体内部まで到達し加温するため、身体を芯から暖めることで、より効果的に血管や身体の緊張を和らげ、発汗作用に効率よく働き、第３にマイナスイオンは空気のビタミンといわれ、酸化した身体や細胞、血液のイオンバランスを正常な状態へと整える働きをし、第４にラジウムなどから発する微量放射線の働き、第５にゲルマニウム（金属と非金属の中間に位置する半導体）は３２℃以上になると電気を通す導体となり、導体となったゲルマニウムは電気を帯びた物質と結合する性質があり、相手がプラスの電気の場合はマイナスの働きをし、相手がマイナスの場合はプラスの働きをするので、マイナスイオン化した酸素を体内に大量に送り込む性質により、生体電流をコントロールし、発汗作用を促す働きをする。
【発明を実施するための最良の形態】
【０００７】
本発明の岩盤浴ベッドの一実施例を図面に基づいて、以下に説明する。
本発明の岩盤浴用人工石盤１は、図１の部分拡大断面図に示すように、麦飯石・天寿石などの遠赤外線やマイナスイオンを発生する天然鉱石や天然放射性希有元素を含有する鉱物を原料としたセラミックスなどの石板２と、該石板２の下面に木質繊維板３をアルミニウム板４で上下に挟んだ蓄熱伝導材５と、該蓄熱伝導材５の下に水平蛇行して配線された線状ヒーター６と、該線状ヒーター６を嵌合収納させる蛇行溝を形成した石材断熱材７と、該石材断熱材７の下に外気からの断熱を図る高発泡ポリプロプレン断熱材８とを設けるものである。
前記岩盤浴用人工石盤１の石板２は、前記線状ヒーター６の熱により下方から温められる構成となっている。
したがって、図１に示す前記岩盤浴用人工石盤１は、低温サウナや高温サウナの浴室内の寝床、壁、天井個所及び一部分に自由に組み合わせて配置し、遠赤外線熱エネルギーやマイナスイオン、微弱放射線それぞれの作用を低温又は高温で効果的に促すことができる。
また、図２に示すように、本発明の岩盤浴ベッドは、前記岩盤浴用人工石盤１と、略畳み１枚の縦横幅で低位ベッドの高さ位置に形成した木質製角筒状の外壁材９の上面に前記岩盤浴用人工石盤１を敷設してなる。
図１に示すように、前記外壁材９内の前記岩盤浴用人工石盤１には、上から順に、前記石板２の下に木質繊維板３をアルミニウム板４で上下に挟んだ蓄熱伝導材５と、該蓄熱伝導材５の下に水平蛇行して配線された線状ヒーター６と、該線状ヒーター６を嵌合収納させる蛇行溝を形成した石材断熱材７と、該石材断熱材７の下に外気からの断熱を図る高発泡ポリプロプレン断熱材８とが設けられ、さらに前記外壁材９に前記岩盤浴用人工石盤１の重量に耐える下部受材(図示せず)を設ける。
したがって、前記岩盤浴ベッドの前記岩盤浴用人工石盤１は、前記線状ヒーターの熱により下方から温められる構成となっている。
また、岩盤浴ベッドの表面、すなわち前記岩盤浴用人工石盤１には、長手方向の適宜個所にサーミスタ及びサーモスタットを埋設し、前記線状ヒーター６による前記石板２の温度を直接制御するように電気回路を構成する。
【０００８】
前記石板２は、ゲルマニウム鉱石、ラジウム鉱石、麦飯石、天寿石、千明石などの天然鉱石や前記天然鉱石と天然放射性希有元素と同様の鉱物を原料としたセラミックスを平板状に形成したものを使用する。
前記石板２は、天然鉱石やセラミックスの組合せにより、図３に示すように、ＮＯ．１平形、ＮＯ．２乱形、ＮＯ．３平形＋乱形、ＮＯ．４平形＋玉石、ＮＯ．５平形＋玉石＋ラジウムプレート、ＮＯ．６平形＋乱形＋ラジウムプレート、ＮＯ．７平形＋玉石２種＋ラジウムプレート、ＮＯ．８玉石敷き詰めなどの模様パターンに分けられる。
なお、ラジウムプレートは、ラジウム温浴やトロン温浴等で知られる天然放射性希有元素と同様の鉱物を主原料にして、円板状に成型・焼成したセラミックスである。
図２に示す前記岩盤浴用人工石盤１は、ＮＯ．５平形＋玉石＋ラジウムプレートである。
前記蓄熱伝導材５は、線状ヒーター６のヒーター線とヒーター線の間に温度差が生じるため、接した部材の伸縮によりねじれ、反りが出るため、アルミニウム板４を挟み温度差をなくし条件を同じくした。
ただし、アルミニウム板４だけだと伝導熱の移動は早いが熱が貯まらないので芯材に木質繊維板３を入れて蓄熱材とし、前記蓄熱伝導材５全体に同じ熱量を確保した。
前記線状ヒーター６は、前記石板２が温まりにくく冷めにくい特徴を有するので、前記石板２の立ち上りを早くするにはヒーター容量が大きく早く熱が出るもので、湿気、漏電防止、且つヒーター部材に耐久力があることが必要である。
前記線材ヒーター６は、必要な面積に合わせ温度設定ができるし、耐久性に優れ、蛇行設置するのに安定しているし、漏電防止もしっかりしているので使用する。
【０００９】
前記石材断熱材７は、前記線材ヒーター６を固定するための蛇行溝が切り易い石膏ボード等から形成され、前記蛇行溝に嵌合させた線材ヒーター６を上から押さえるようにして耐熱プラスチックフイルム等の表層材で固定した。
前記石材断熱材７は、熱伝導が悪いため上部に熱が引張られるロスが少なく、過加熱などに対して安全性が大きい。
前記高発泡ポリプロプレン断熱材８は、高温に耐える発泡層壁が強く、復元力が強く、断熱精度も高い、外気を止めるのと前記石材断熱材を圧着することで密着度は上がる、そのため線材ヒーター６と石板２はより安定させることができる。
前記下部受材(図示せず)は、前記蓄熱伝導材５、前記石材断熱材７、前記高発泡ポリプロプレン断熱材８を圧着固定する目的と、上部重量に耐えるように根太状配置にした。
前記外壁材９は、集積木板材により形成し、ねじれ・割れ防止と温度差により身体に違和感が出ないようにした。
前記外壁材９の高さは、座り易く且つ移動し易いように低位置にし、持ち運び時の安定性と収納口・点検口用のため、前記外壁材９の下端に円弧状の切欠きを形成し、手掛とする。
なお、カバースイッチ１０は、足など引っ掛け防止、タイマー表示、入切ランプなど温度設定し易いように前記外壁材９の側面に形成した。
【００１０】
次に、本発明の岩盤浴ベッドの使用操作方法を図面に基づいて、以下に説明する。
図２に示す岩盤浴ベッドには、予め通電を行って石板２を温度４０℃〜４３℃位に温めておき、温度制御は前記外壁材９の側面に形成したカバースイッチ１０によりコントロールする。
入浴者は、浴衣・Ｔシャツ・短パンなどの衣類を着用して濡れてもいい服装で寝そべって温熱効果を体験する。
入浴時には、岩盤浴ベッドにバスタオル又は敷物を使用して身体の下に敷き、横臥姿勢にする。
岩盤浴は、１．「はらばい」になって５分位、２．「あおむけ」になって１０分位、３．１０〜１５分位岩盤浴したら３〜５分休憩、４．これらを２〜３回繰返す。
休憩の時は十分な水分を補給するし、自分の体調に合わせて岩盤浴の回数を決定する。
多量の汗が出るので十分な水分の補給が必要ですし、水分を取りながらの岩盤浴となる。
岩盤浴利用前にラジウムによる温浴とラドン吸入をし、スチームサウナで蒸気吸入浴をして、体を温めてから利用すると効果が倍増する。
さらに、浴室内の寝床、壁、天井個所及び一部分に図１に示す前記岩盤浴用人工石盤１を自由に組み合わせて配置し、遠赤外線熱エネルギーやマイナスイオン、微弱放射線それぞれの作用を低温又は高温で効果的に促すことができる。
【図面の簡単な説明】
【００１１】
【図１】本発明の岩盤浴用人工石盤の断面図である。
【図２】本発明の岩盤浴ベッドの斜視図である。
【図３】石板の模様パターンを示す平面図である。
【符号の説明】
【００１２】
１  岩盤浴用人工石盤
２  石板
３  木質繊維板
４  アルミニウム板
５  蓄熱伝導材
６  線材ヒーター
７  石材断熱材
８  高発泡ポリプロプレン断熱材
９  外壁材
１０  カバースイッチ
【図１】
0004716504.tif 000002
【図２】
0004716504.tif 000003
【図３】
0004716504.tif 000004